(57)【要約】機器（４）から測定情報を受信するデータ受信部（１１）と、受信した少なくとも２種類の異なる形式の測定情報から、機器（４）に共通するパラメータを用いた通知データを生成して表示部（２０）に通知する処理部とを備えている情報管理装置。
2014171469.tif 000002
【特許請求の範囲】
【請求項１】
表示部を備える情報管理装置であって、
被測定者を測定した複数の計測機器から送信された、少なくとも２種類の異なる形式の測定情報を受信する受信部と、
受信した上記測定情報から、上記複数の計測機器に共通するパラメータを用いて通知データを生成し、上記通知データを上記表示部に通知する処理部と、を備えていることを特徴とする情報管理装置。
【請求項２】
上記受信部は、上記計測機器の固有情報を受信し、
上記処理部は、上記固有情報を識別する機器固有情報識別子を、上記共通するパラメータとして含む通知データを生成することを特徴とする請求項１に記載の情報管理装置。
【請求項３】
上記機器固有情報識別子と上記固有情報とを少なくとも記録する固有情報記録部を備え、
上記表示部は、通知された上記通知データに格納された上記機器固有情報識別子に紐付く上記固有情報を、上記固有情報記録部から取得して表示することを特徴とする請求項２に記載の情報管理装置。
【請求項４】
上記受信部は、被測定者の被測定者情報を受信し、
上記処理部は、上記被測定者情報を識別する被測定者情報識別子を、上記共通するパラメータとして含む通知データを生成することを特徴とする請求項１〜３のいずれか１項に記載の情報管理装置。
【請求項５】
上記被測定者情報識別子と上記被測定者情報とを記録する被測定者情報記録部を備え、
上記表示部は、通知された上記通知データに格納された上記被測定者情報識別子に紐付く上記被測定者情報を、上記被測定者情報記録部から取得して表示することを特徴とする請求項４に記載の情報管理装置。
【請求項６】
上記処理部は、同じ上記計測機器から受信する複数回の上記測定情報から、１回の上記測定情報のパラメータを繰り返す形式の通知データを生成することを特徴とする請求項１〜５のいずれか１項に記載の情報管理装置。
【請求項７】
上記処理部は、上記測定情報の種類を表す文字列と上記測定情報の値とを含む形式の通知データを生成することを特徴とする請求項１〜６のいずれか１項に記載の情報管理装置。
【請求項８】
上記測定情報は、被測定者の生体情報であることを特徴とする請求項１〜７のいずれか１項に記載の情報管理装置。
【請求項９】
上記情報管理装置はさらに、複数の表示部を備え、
上記処理部は、上記複数の表示部の全てに上記通知データを通知することを特徴とする請求項１〜８のいずれか１項に記載の情報管理装置。
【請求項１０】
上記情報管理装置はさらに、複数の表示部を備え、
上記処理部は、上記複数の表示部のうち、特定の表示部のみに上記通知データを通知することを特徴とする請求項１〜８のいずれか１項に記載の情報管理装置。
【請求項１１】
情報蓄積装置と通信する情報管理装置であって、
被測定者を測定した複数の計測機器から送信された、少なくとも２種類の異なる形式の測定情報を受信する受信部と、
受信した上記測定情報から、上記複数の計測機器に共通するパラメータを用いて通知データを生成し、上記通知データを上記情報蓄積装置に通知する処理部と、を備えていることを特徴とする情報管理装置。
【発明の詳細な説明】
【技術分野】
【０００１】
本発明は、複数の計測機器から測定情報を受信して表示する情報管理装置に関する。
【背景技術】
【０００２】
近年、生活習慣病を始めとする疾病を予防するための健康管理など、健康に対する関心が高まっている。それに伴い、測定した自身の体重、体温、血圧または血糖値などの生体情報、あるいは摂取カロリーなどの健康情報を記録することにより、自らの健康管理を自身で行うことが注目されている。【０００３】
従来、このような生体情報または健康情報は、専用の計測機器を使って測定した後、ノートなどに手書きで書き込むことによって記録していた。しかし、生体情報または健康情報は数値であることが多いため、手書きで書き込む場合には、記録する数値の勘違いなどが原因となって、測定結果の入力に間違いが生じやすい。また、測定時に、それまでに記録を付けていたノートなどを手元に用意する必要があるなど、記録を付ける作業は煩雑であるため、継続して記録をつけることが困難になっていた。【０００４】
そこで、近年の電子機器の発達に伴い、測定結果を手書きにより記録する代わりに、パソコンまたは携帯電話などを情報管理装置として利用し、その装置に測定結果を保存することが、一般的となっている。その方法の一例として、生体情報または健康情報などを測定する計測機器に通信機能を備え、計測機器は、情報管理装置に測定結果を自動で送信するというものがある。計測機器で測定したデータを情報管理装置に送信する方式としては、ＵＳＢなどの有線通信、または、Ｂｌｕｅｔｏｏｔｈ（登録商標）、Ｚｉｇｂｅｅ（登録商標）、ＮＦＣ（Ｎｅａｒ Ｆｉｅｌｄ Ｃｏｍｍｕｎｉｃａｔｉｏｎ）などの無線通信がある。ユーザは、これらの通信機能を搭載した計測機器と、測定結果のグラフ表示や測定結果に基づくアドバイス提示などの、各種サービスを受けられるアプリケーションを利用して、日々の健康管理を行う。【０００５】
１台の情報管理装置に対して、通信方式が異なる複数台の計測機器から測定情報を送信して保存するという用途も、当然に期待される。ユーザは様々な計測機器を使って、様々な健康情報や生体情報を測定しようとするからである。しかし、ある計測機器が搭載する通信方式と、他の計測機器が搭載する通信方式とが、互いに異なるものである場合、情報管理装置は、それら異なる通信方式に対応する必要がある。【０００６】
一般に、通信方式が異なれば、データをやり取りする手順（プロトコル）、扱うデータ（データ種類）、データの並び順（フォーマット）も異なってくる。また、通信方式が搭載される機器が異なれば、それぞれの機器自体の情報も異なっている。複数の異なる通信方式に共通して対応したアプリケーションを実装することは困難である。言い換えると、通信方式ごとに、それに単独で対応した異なるアプリケーションを個別に実装する必要がある。図１５を用いて、この問題について説明する。【０００７】
図１５は、従来技術における通信機器２０４と情報管理装置２００のアプリケーション２１０との関係を示す図である。図１５に示すように、それぞれの通信機器２０４の通信方式に応じたアプリケーション２１０を実装しなければならない。すなわち、アプリケーション２１０は複数、実装する必要がある。この方式では、情報管理装置２００が対応可能な新たな通信方式を１つ増やすたびに新たなアプリケーション２１０を１つ、追加で実装する必要があり、開発者にとって非常に手間である。また、アプリケーション２１０を利用するユーザにも不便である。【０００８】
そこで、特許文献１には、このような問題を解決するために、機能拡張が容易なネットワーク管理方法及び装置について開示されている。【０００９】
図１６は、従来技術における機能拡張が容易なネットワーク管理機能部３２０を有するドメインネットワークマネージャ３００の構成を示す図である。図１６に示すように、ドメインネットワークマネージャ３００のネットワーク管理機能部３２０は、パッケージ配信装置３０５からネットワーク３０３経由で、スイッチ３１０に接続されている各端末３０４に対する管理および制御要求を受け付ける。この場合、管理および制御要求は、各端末３０４の機器に依らない共通インターフェース（以下、共通ＩＦと称する）によって受け付ける。そして、ネットワーク管理機能部３２０は、各端末３０４の固有の管理および制御要求方式に変換し、各端末３０４を管理および制御する。また、要求に対する各端末３０４からの固有の応答および通知を、共通ＩＦによってネットワーク３０３経由で応答および通知する。【００１０】
ここで、ドメインネットワークマネージャ３００を情報管理装置に、各端末３０４を計測機器に置き換える。そうすると、異なる通信方式によって計測機器から測定結果を受信し、ネットワーク管理機能部３２０が共通ＩＦとしてパッケージ配信装置３０５に通知する構成となる。
【先行技術文献】
【特許文献】
【００１１】
【特許文献１】日本国公開特許公報「特開２００５−２５２６２８号公報（２００５年９月１５日公開）」
【発明の概要】
【発明が解決しようとする課題】
【００１２】
しかしながら、上述のような従来技術では、ネットワーク管理機能部は、応答および通知の中の各端末固有のデータも、共通ＩＦとして通知しなければならない。したがって、新たな端末が追加され、新たな固有データができると、共通ＩＦは、既存の固有データに加えて、その新たな固有データにも全面的に対応しなければならなくなる。それゆえ、新たな固有データを想定した予め共通ＩＦを用意しておく必要があり、その結果、共通ＩＦの設計および構成が複雑になってしまうという問題が生ずる。【００１３】
本発明は上記の問題点に鑑みてなされたものであり、その目的は、計測機器から受信した、少なくとも２種類の異なる形式の測定情報を表示手段（アプリケーション）に通知するための共通の通知形式の設計および構成を複雑化せずに済む情報管理装置を提供することにある。
【課題を解決するための手段】
【００１４】
上記の課題を解決するために、本発明に係る情報管理装置は、表示部を備える情報管理装置であって、被測定者を測定した複数の計測機器から送信された、少なくとも２種類の異なる形式の測定情報を受信する受信部と、受信した上記測定情報から、上記複数の計測機器に共通するパラメータを用いて通知データを生成し、上記通知データを上記表示部に通知する処理部と、を備えていることを特徴とする。
【発明の効果】
【００１５】
本発明によれば、計測機器から受信した、少なくとも２種類の異なる形式の測定情報を表示手段（アプリケーション）に通知するための共通の通知形式の設計および構成を複雑化せずに済むという効果を奏する。
【図面の簡単な説明】
【００１６】
【図１】本発明の実施形態１に係る情報管理システムの要部構成を示すブロック図である。
【図２】本発明の実施形態１に係る情報管理システムの処理の流れを示すフローチャートである。
【図３】（ａ）は本発明の実施形態１に係る通知データのフォーマットの一例であり、（ｂ）は血圧の測定結果を通知データのフォーマットに埋め込んだ場合の通知データである。
【図４】本発明の変形例１に係る情報管理システムの処理の流れを示すフローチャートである。
【図５】本発明の実施形態２に係る情報管理システムの要部構成を示すブロック図である。
【図６】本発明の実施形態２に係る情報管理システムの処理の流れを示すフローチャートである。
【図７】本発明の実施形態２に係る情報管理システムの変形例において、情報管理システムの処理の流れを示すフローチャートである。
【図８】本発明の実施形態３に係る情報管理システムの要部構成を示すブロック図である。
【図９】本発明の実施形態３に係る情報管理システムの処理の流れを示すフローチャートである。
【図１０】本発明の実施形態４に係る情報管理システムの要部構成を示すブロック図である。
【図１１】本発明の実施形態４に係る情報管理システムの処理の流れの一例を示すフローチャートである。
【図１２】本発明の実施形態４に係る情報管理システムの処理の流れの別の一例を示すフローチャートである。
【図１３】本発明の実施形態５に係る情報管理システムの要部構成を示すブロック図である。
【図１４】本発明の実施形態５に係る情報管理システムの処理の流れを示すフローチャートである。
【図１５】従来技術における通信機器と情報管理装置のアプリケーションとの関係を示す図である。
【図１６】従来技術における機能拡張が容易なネットワーク管理機能部を有するドメインネットワークマネージャを示す図である。
【発明を実施するための形態】
【００１７】
〔実施形態１〕
以下、本発明の第１の実施形態について、図１〜図４を用いて、詳細に説明する。
【００１８】
（情報管理システム１）
図１は、本発明の実施形態１に係る情報管理システム１の要部構成を示すブロック図である。図１に示すように、情報管理システム１は、情報管理装置２と、複数の機器４（４ａ、４ｂ、・・・４ｎ）とを備えている。本実施形態において、各機器４は、体重計、血圧計、血糖値計など、生体情報を測定する計測機器である。一方、情報管理装置２は、パソコン、携帯電話、またはスマートフォンなどの情報端末である。
【００１９】
情報管理システム１では、機器４が測定した被測定者の生体情報である測定情報を、それぞれの機器４に搭載されている通信方式を使って情報管理装置２に送信する。情報管理装置２は、機器４の種類や通信方式に関わらず、機器４から受信した測定情報を、画面に表示する。機器４の通信方式は、例えばＢｌｕｅｔｏｏｔｈ（登録商標）、ＮＦＣ（Ｎｅａｒ  Ｆｉｅｌｄ  Ｃｏｍｍｕｎｉｃａｔｉｏｎ）、または無線ＬＡＮなどの無線データ通信方式およびＵＳＢ（Ｕｎｉｖｅｒｓａｌ  Ｓｅｒｉａｌ  Ｂｕｓ）または有線ＬＡＮを介した有線データ通信方式が挙げられる。
【００２０】
（情報管理装置２）
図１に示すように、情報管理装置２は、処理部１０、表示部２０、および表示パネル３０によって構成されている。
【００２１】
処理部１０は、機器４から測定情報を受信し、各機器４のそれぞれに共通する基本的なパラメータのみで構成されている通知データを生成し、表示部２０に出力する。
【００２２】
表示部２０は、処理部１０から通知データを取得し、通知データに格納された情報を抽出し、表示パネル３０に表示する。表示部２０は表示データ抽出部２１を備えており、表示データ抽出部２１が、通知データに格納された情報を抽出する。表示部２０は、スマートフォンのアプリケーションなどといったソフトウェアとして実現される。
【００２３】
表示パネル３０は、液晶ディスプレイなどの、情報を画面に表示するための表示デバイスである。
【００２４】
（処理部１０）
図１に示すように、処理部１０は、データ受信部１１（受信部）、データ解析部１２、データ生成部１３（処理部）、およびデータ通知部１４（処理部）によって構成されている。
【００２５】
データ受信部１１は、機器４から測定情報を受信する。データ受信部１１は、機器４のそれぞれの通信方式に対応したデータ受信部１１ａ、データ受信部１１ｂ、・・・およびデータ受信部１１ｎによって構成されている。例えば、機器４ａがＢｌｕｅｔｏｏｔｈ（登録商標）搭載血圧計であり、機器４ｂがＮＦＣ搭載血圧計である場合、データ受信部１１ａはＢｌｕｅｔｏｏｔｈ（登録商標）に対応しており、機器４ａから血圧値や脈拍値を含んだ測定情報を受信する。同様に、データ受信部１１ｂは、ＮＦＣに対応しており、機器４ｂから血圧値や脈拍値を含んだ測定情報を受信する。
【００２６】
また、データ受信部１１は、１つの通信方式に対応した、少なくとも２種類の異なる形式の測定情報を受信するデータ受信部１１ａのみによって構成されていてもよい。例えば、データ受信部１１が、Ｂｌｕｅｔｏｏｔｈ（登録商標）に対応しているデータ受信部１１ａのみによって構成されている場合、複数の計測機器から受信するデータが異なる形式であっても、Ｂｌｕｅｔｏｏｔｈ（登録商標）対応であれば、受信することができる。
【００２７】
データ解析部１２は、データ受信部１１が受信した測定情報を、それぞれの通信方式に従って解析する。測定情報の解析とは、例えば血圧値などの測定値、ｍｍＨｇやＰａなどの単位情報、測定した時刻を表す時刻情報などといったパラメータを抽出することである。測定情報の解析は、各データ解析部１２に搭載されている解析処理エンジンが行う。例えば、データ解析部１２ａは、Ｂｌｕｅｔｏｏｔｈ（登録商標）搭載血圧計に対応した解析処理エンジンが搭載されている。同様に、データ解析部１２ｂは、ＮＦＣ搭載血圧計に対応した解析処理エンジンが搭載されている。
【００２８】
データ生成部１３は、データ解析部１２によって抽出されたパラメータのうち、各機器４に共通する基本的なパラメータのみを、共通の通知フォーマットに格納することにより、通知データを生成する。通知フォーマットおよび通知データについての詳細は、後述する。
【００２９】
データ通知部１４は、データ生成部１３が生成した通知データを表示させるために、表示部２０に通知データを出力する。
【００３０】
（実施形態１における情報管理システム１の処理）
図２は、本発明の実施形態１に係る情報管理システム１の処理の流れを示すフローチャートである。情報管理システム１の処理の流れについて、図２を用いて説明する。
【００３１】
まず、機器４が、ユーザ（すなわち被測定者）を測定することによって、ユーザの生体情報または健康情報を含む測定情報を取得する（ステップＳ１）。機器４は、取得した測定情報を、自身に搭載されている通信方式によって、情報管理装置２に送信する（ステップＳ２）。
【００３２】
情報管理装置２のデータ受信部１１は、機器４から測定情報を受信する（ステップＳ３）。そして、受信した測定情報をデータ解析部１２に出力する。データ解析部１２は、取得した測定情報を解析し、測定値、単位情報、時刻情報などのパラメータを抽出する（ステップＳ４）。抽出したパラメータは、データ生成部１３に出力される。
【００３３】
データ生成部１３は、取得したパラメータのうち、各機器４に共通する基本的なパラメータのみを、共通の通知フォーマットに格納することによって、通知データを生成する（ステップＳ５）。基本的なパラメータとは、測定値、測定単位、測定時間や、メーカー名などの機器情報、性別、身長などのユーザ情報である。データ生成部１３は、生成した通知データをデータ通知部１４に出力する。データ通知部１４は、取得した通知データを表示部２０に出力する（ステップＳ６）。
【００３４】
表示部２０の表示データ抽出部２１は、通知データを取得すると、通知データに格納されたデータを抽出する（ステップＳ７）。表示部２０は、抽出されたデータを表示パネル３０に出力し、表示パネル３０に測定情報が表示される（ステップＳ８）。ユーザは、表示パネル３０を視認することによって、測定結果を知ることができる。こうして図２の処理は終了する。
【００３５】
以上のように、情報管理システム１では、機器４が測定した測定情報が、情報管理装置２の表示パネル３０に表示される。
【００３６】
（通知フォーマットおよび通知データ）
通知フォーマットおよび通知データについて、図３を用いて説明する。図３（ａ）は、本発明の実施形態１に係る通知データのフォーマット１１０の一例である。この図に示すように、通知フォーマット１１０は、計測機器固有情報タグ、測定値タグ１といったタグ名称と、計測機器固有情報ＩＤ番号、測定値１といったパラメータとから構成される。タグ名称は、対応するパラメータが何であるのかを説明する文字列である。一方、パラメータは、識別子または測定結果などの何らかの値である。図３（ａ）に示すフォーマット１１０は、各機器４に対して共通のものである。すなわち、どのような機器４からの測定情報からも、図３（ａ）に示す通知フォーマット１１０を用いた通知データが生成される。
【００３７】
しかし、通知フォーマット１１０は、タグ名称が抽象化されているため、実際には、通知フォーマット１１０を利用する際には、タグ名称を、機器４ごとに固有の文字列に置き換えてからにする。その一例として、図３（ｂ）に示す通知データ１２０について以下に説明する。
【００３８】
図３（ｂ）は、血圧の測定結果を、血圧用のフォーマット１１０に格納した場合の通知データ１２０である。血圧の測定結果なので、フォーマット１１０の各タグ名称は、血圧用の文字列に置き換えられている。例えば、測定値タグ１は「SystolicBP_value」に、測定値タグ２は「DiastolicBP_value」に変更されている。情報管理装置２には、このような血圧計に対応した通知フォーマット１１０が事前に用意されている。
【００３９】
血圧計に対応した通知フォーマット１１０に、血圧計の測定結果等を格納すると、図３（ｂ）に示す通知データ１２０が生成される。その際、各タグに対応したパラメータ（最高血圧、最低血圧、平均血圧、心拍数等）が格納される。パラメータはこれらに限らず、測定結果の単位（ｍｍＨｇ）や、測定時刻等も格納される。さらには、計測機器固有情報を識別する識別子番号（ＩＤ番号）、および、被測定者情報を識別する識別子番号（ＩＤ番号）も、通知フォーマット１１０に格納することができる。
【００４０】
通知フォーマット１１０において、各タグおよびそれに対応するパラメータは、全て配列構造として定義されている。したがって、通知データ１２０においても、タグおよびパラメータは配列構造を取る。例えば、測定値を表すタグと測定値によって構成される要素、単位を表すタグと単位とによって構成される要素、および、測定時刻を表すタグと測定時刻とによって構成される要素が、それぞれ、配列の一要素として通知データ１２０に格納されることになる。
【００４１】
なお、これらの他、データ解析部１２によって測定情報から抽出された、計測機器固有情報およびユーザ情報も、通知フォーマット１１０に格納してもよい。
【００４２】
また、実施形態１では、通知フォーマット１１０は、測定値、測定単位、測定時刻など、各機器４の全ての共通する基本的なパラメータのみによって構成されている。すなわち、ある特定の機器４に固有のパラメータを格納するための定義は、通知フォーマット１１０において成されていない。すなわち、そのような固有のパラメータは、通知フォーマット１１０に格納されることがない。
【００４３】
したがって、本実施形態１の情報管理システムでは、機器４が新たな通信手段を使って測定結果を情報管理装置２に送信しても、既存の通知フォーマット１１０をそのまま利用することができる。これにより、新たな通信方式に対応させるべく、既存の通知フォーマット１１０を改変したり、または新たな通知フォーマットを用意したりする必要はない。また、そもそも、新たな通信方式の追加を想定した複雑な構成の通知フォーマットを設計する必要もない。したがって、実施形態１の情報管理システム１によれば、異なる通信方式の計測機器から受信した測定情報を表示部２０（アプリケーション）に通知するための共通の通知フォーマットの設計および構成を複雑化せずに済む。
【００４４】
〔変形例１〕
実施形態１を変形した変形例１について、図４を用いて説明する。
【００４５】
図４は、本発明の変形例１に係る情報管理システム１の処理の流れを示すフローチャートである。
【００４６】
本変形例では、機器４は、情報管理装置２へ測定情報を送信しなかった場合や、測定情報の送信に失敗した場合などに、測定情報を蓄積しておく。そして、被測定者を新たな測定したときに、新たな測定情報と、過去に蓄積しておいた測定情報とを取得する（ステップＳ１１）。そして、機器４は取得した複数の測定情報を、情報管理装置２に送信する（ステップＳ１２）。
【００４７】
情報管理装置２のデータ受信部１１は、機器４から複数の測定情報を受信する（ステップＳ１３）。そして、受信した複数の測定情報をデータ解析部１２に出力する。データ解析部１２は、取得した複数の測定情報を解析し、測定値、単位情報、時刻情報などのパラメータを抽出する（ステップＳ１４）。データ解析部１２は、抽出したパラメータを、データ生成部１３に出力する。
【００４８】
データ生成部１３は、取得したパラメータのうち、各機器４に共通する基本的なパラメータのみを、通知フォーマットに格納することによって、通知データを生成する（ステップＳ１５）。その際、パラメータが複数の測定情報分あるので、１つの測定結果分のパラメータを繰り返す形で、通知フォーマットにパラメータを格納する。例えば、情報管理装置２に同じ機器４から血圧の測定情報が２つ送信された場合、通知フォーマットには、まず第１の測定情報の最高血圧、第１の測定情報の最低血圧、第１の測定情報の平均血圧および第１の測定情報の脈拍などの、第１の測定結果分のパラメータが格納される。それに続いて、同じ形式で、第２の測定情報の最高血圧、第２の測定情報の最低血圧、第２の測定情報の平均血圧および第２の測定情報の脈拍などの、第２の測定結果分のパラメータが格納される。
【００４９】
生成した通知データは、データ通知部１４に出力される。データ通知部１４は、通知データを取得すると、表示部２０に出力する（ステップＳ１６）。
【００５０】
表示部２０の表示データ抽出部２１は、通知データを取得すると、通知データに格納された複数のデータを抽出する（ステップＳ１７）。表示部２０は、抽出された複数のデータを表示パネル３０に出力し、表示パネル３０に測定情報が表示される（ステップＳ１８）。こうして図４の処理は終了する。
【００５１】
このように、情報管理装置２は、機器４が複数の測定情報を取得しても、複数の測定情報を情報管理装置２の表示パネル３０に表示できる。
【００５２】
なお、データ生成部１３は、個々の測定結果分のパラメータを、個々の通知フォーマットに別々に格納することによって、複数の通知データを生成してもよい。
【００５３】
〔実施形態２〕
以下、本発明の第２の実施形態について、図５〜図７を用いて、詳細に説明する。なお、説明の便宜上、前記実施形態にて説明した部材と同じ機能を有する部材については、同じ符号を付記し、その説明を省略する。
【００５４】
図５は、本発明の実施形態２に係る情報管理システム１の要部構成を示すブロック図である。本実施形態においては、上述の実施形態１の情報管理装置２のブロック図に加えて、表示部２０の蓄積データ取得部２２およびデータ蓄積部４０（固有情報記録部、被測定者情報記録部）が、新たに備わっている。
【００５５】
蓄積データ取得部２２は、データ蓄積部４０に蓄積されたデータを取得する。
【００５６】
データ蓄積部４０は、データ解析部１２が抽出した機器４のメーカー名、モデル番号といった機器４に固有の情報と、当該固有の情報を識別するための計測機器固有情報ＩＤ番号と、互いに関連づけて蓄積する。なお、このＩＤ番号は、データ解析部１２が、抽出した固有情報に対して割り当てる。
【００５７】
（実施形態２における情報管理システム１の処理）
実施形態２における情報管理システム１の処理の流れについて、図６を用いて説明する。図６は、本発明の実施形態２に係る情報管理システム１の処理の流れを示すフローチャートである。
【００５８】
まず、機器４がユーザを計測することによって、測定情報を取得する（ステップＳ２１）。そして、機器４は、取得した測定情報と、自らの機器情報とを含む固有情報とを、情報管理装置２に送信する（ステップＳ２２）。
【００５９】
情報管理装置２のデータ受信部１１は、機器４から測定情報および固有情報を受信する（ステップＳ２３）。そして、受信した測定情報および固有情報をデータ解析部１２に出力する。データ解析部１２は、取得した測定情報を解析し、測定値、単位情報、時刻情報などのパラメータを抽出する。同様に、取得した固有情報を解析し、メーカー名、モデル番号などの機器情報を抽出する（ステップＳ２４）。
【００６０】
データ解析部１２は、抽出した固有情報の機器情報に、各計測機器の固有情報を識別する計測機器固有情報ＩＤ番号を割り当て、抽出した機器情報と計測機器固有情報ＩＤ番号とを、データ蓄積部４０に保存する（ステップＳ２５）。また、測定情報のパラメータと計測機器固有情報ＩＤ番号とを、データ生成部１３に出力する。
【００６１】
データ生成部１３は、取得したパラメータのうち、各機器４に共通する基本的なパラメータのみを、通知フォーマットに格納する。加えて、計測機器固有情報ＩＤ番号も、通知フォーマットに格納する。これにより通知データを生成する（ステップＳ２６）。データ生成部１３は、生成した通知データをデータ通知部１４に出力する。データ通知部１４は、通知データを取得すると、表示部２０に出力する（ステップＳ２７）。
【００６２】
表示部２０の表示データ抽出部２１は、通知データを取得すると、通知データに格納された情報を抽出する（ステップＳ２８）。このとき、計測機器固有情報ＩＤ番号が格納されていた場合、蓄積データ取得部２２に、格納されていた計測機器固有情報ＩＤ番号の機器情報を取得するよう要求する。ステップＳ２５において、データ蓄積部４０に保存された機器情報には計測機器固有情報ＩＤ番号が割り当てられているので、蓄積データ取得部２２は、該当する計測機器固有情報ＩＤ番号の機器情報を、データ蓄積部４０から取得し、表示データ抽出部２１に出力する（ステップＳ２９）。
【００６３】
表示部２０は、抽出した情報と取得した機器情報とを、表示パネル３０に出力する。この結果、表示パネル３０に、測定情報と機器４の機器情報とが表示される（ステップＳ３０）。こうして図６の処理は終了する。
【００６４】
このように、実施形態２では、図３の通知データのフォーマット１１０の、計測機器固有情報タグと計測機器固有情報ＩＤ番号とによって構成される要素を利用することによって、機器４のメーカー名やモデル番号などの機器情報を表示パネル３０に表示できる。
【００６５】
〔変形例２〕
実施形態２を変形した変形例２について、図７を用いて説明する。
【００６６】
図７は、本発明の実施形態２に係る情報管理システムの変形例２において、情報管理システム１の処理の流れを示すフローチャートである。本変形例２では、機器４は、測定情報および固有情報に加え、さらに、被測定者の性別や身長といった被測定者情報を情報管理装置２に送信する。
【００６７】
ユーザは、事前に、自身に関する情報である被測定者情報を、機器４に登録している。機器４は、この情報を記憶している。
【００６８】
図７に示すように、まず、機器４が、被測定者を測定して測定情報を取得する（ステップＳ３１）。機器４は、取得した測定情報と、自らの機器情報を含む固有情報と、被測定者情報とを、情報管理装置２に送信する（ステップＳ３２）。
【００６９】
情報管理装置２のデータ受信部１１は、機器４から測定情報、固有情報、および被測定者情報を受信する（ステップＳ３３）。そして、受信した測定情報、固有情報、および被測定者情報をデータ解析部１２に出力する。データ解析部１２は、取得した測定情報を解析し、測定値、単位情報、時刻情報などのパラメータを抽出する。同様に、取得した固有情報を解析し、メーカー名、モデル番号などの機器情報を抽出する。また同様に、取得した被測定者情報を解析し、性別、身長などのパラメータを抽出する（ステップＳ３４）。
【００７０】
そして、データ解析部１２は、抽出した固有情報の機器情報に、各計測機器の固有情報を識別する計測機器固有情報ＩＤ番号を割り当て、抽出した機器情報と計測機器固有情報ＩＤ番号とを、データ蓄積部４０に保存する。同様に、抽出した被測定者情報のパラメータに被測定者を識別する被測定者情報ＩＤ番号を割り当て、抽出した被測定者情報のパラメータと被測定者情報ＩＤ番号とを、データ蓄積部４０に保存する（ステップＳ３５）。また、測定情報のパラメータ、計測機器固有情報ＩＤ番号、および被測定者情報ＩＤ番号を、データ生成部１３に出力する。
【００７１】
データ生成部１３は、取得した測定情報のパラメータのうち、各機器４に共通する基本的なパラメータのみを、通知フォーマットに格納する。加えて、計測機器固有情報ＩＤ番号および被測定者情報ＩＤ番号も、通知フォーマットに格納する。これにより通知データを生成する（ステップＳ３６）。データ生成部１３は、生成した通知データをデータ通知部１４に出力する。データ通知部１４は、通知データを取得すると、表示部２０に通知する（ステップＳ３７）。
【００７２】
表示部２０の表示データ抽出部２１は、通知データを取得すると、通知データに格納された情報を抽出する（ステップＳ３８）。このとき、計測機器固有情報ＩＤ番号および被測定者情報ＩＤ番号が格納されていた場合、蓄積データ取得部２２に、計測機器固有情報ＩＤ番号の機器情報と、被測定者情報ＩＤ番号のパラメータとを取得するよう要求する。ステップＳ３５において、データ蓄積部４０に保存された機器情報には計測機器固有情報ＩＤ番号が割り当てられており、被測定者情報のパラメータには被測定者情報ＩＤ番号が割り当てられている。したがって、蓄積データ取得部２２は、該当する計測機器固有情報ＩＤ番号のパラメータと、被測定者情報ＩＤ番号のパラメータを、データ蓄積部４０から取得し、表示データ抽出部２１に出力する（ステップＳ３９）。
【００７３】
表示部２０は、抽出した情報と取得した機器情報および被測定者情報のパラメータとを、表示パネル３０に出力する。これにより、表示パネル３０に、測定結果、機器４の機器情報、および被測定者情報とが表示される（ステップＳ４０）。こうして図７の処理は終了する。
【００７４】
以上のように、本変形例では、図３の通知データフォーマット１１０の、被測定者情報タグと被測定者情報ＩＤ番号とによって構成される要素を利用することによって、被測定者の性別や身長など、被測定者の情報を表示パネル３０に表示できる。
【００７５】
〔実施形態３〕
以下、本発明の第３の実施形態について、図８および図９を用いて、詳細に説明する。なお、説明の便宜上、前記実施形態にて説明した部材と同じ機能を有する部材については、同じ符号を付記し、その説明を省略する。
【００７６】
図８は、本発明の実施形態３に係る情報管理システム１の要部構成を示すブロック図である。本実施形態においては、上述の実施形態１の情報管理装置２のブロック図の表示部２０の代わりに表示部２０ａおよび表示部２０ｂを備え、ユーザ入力部５０が、新たに備わっている。
【００７７】
上述したように、表示部２０は、スマートフォンのアプリケーションなどといったソフトウェアによって実現される。したがって、情報管理装置２は、表示部２０として、測定情報をグラフ表示する表示部２０ａや、測定情報をテキスト表示する表示部２０ｂなど、複数のアプリケーションを備えていてもよい。
【００７８】
ユーザ入力部５０は、キーボードやタッチパネルなどの、ユーザの入力を受け付けるハードウェアである。
【００７９】
（実施形態３における情報管理システム１の処理）
図９は、本発明の実施形態３に係る情報管理システム１の処理の流れを示すフローチャートである。実施形態３における情報管理システム１の処理の流れについて、図９を用いて説明する。情報管理装置２のデータ通知部１４が、通知データを表示部２０に出力する処理（ステップＳ６）までは前記実施形態と同じため、説明を省略する。
【００８０】
データ通知部１４は、各表示部２０に通知データを通知した後、表示部２０が複数あるか否かを判定する（ステップＳ４１）。
【００８１】
ステップＳ４１において、「表示部２０が複数ある」と判定された場合（ステップＳ４１：Ｙｅｓ）、情報管理装置２は、ユーザに対して、複数の表示部２０のうちいずれかを選択するように促す。ユーザは、ユーザ入力部５０を使って、いずれかの表示部２０を選択する（ステップＳ４２）。ユーザによって表示部２０が選択されると、選択された表示部２０のみが、データを抽出する処理（ステップＳ７）に進み、以降は前記各実施形態と同じため、説明を省略する。
【００８２】
一方、ステップＳ４１において、「表示部２０は複数ではない」と判定された場合（ステップＳ４１：Ｎｏ）、処理はステップＳ７に進み、以降は前記実施形態と同じため、説明を省略する。
【００８３】
このように、情報管理装置２が表示部２０を複数備えていても、ユーザによる選択により表示部２０を限定することができる。また、ユーザがいったん表示部２０を選択した後は、選択された表示部２０のみが自動的にデータを抽出し、表示してもよい。
【００８４】
〔変形例３〕
実施形態３を変形した変形例３について、説明する。
【００８５】
本変形例では、通知データのデータ名が、データの種別を示す文字列を含んでいる。例えば、血圧計からの測定情報に基づき生成された通知データのデータ名には、「血圧」などの、データが血圧に関することを示す何らかの文字列が含まれている。この文字列は、データ生成部１３が通知データを生成する際に、データ名に含ませる。
【００８６】
表示部２０は、通知データのデータ名を読み取り、自身が表示すべき表示対象データであるか否かを判定する。そして、表示対象データであると判定した場合、データ通知部１４にその旨を返答し、通知データから表示するデータを抽出し、表示パネル３０に表示する。データ通知部１４に対して複数の表示部２０から応答があった場合、情報管理装置２がユーザに表示部２０を選択させ、ユーザの選択した表示部２０のみがデータを表示するようにしてもよい。
【００８７】
以上のように、通知データにデータ名を格納して表示部２０に通知することにより、データを表示すべき表示部２０が自動的に選択され、表示パネル３０に測定情報が表示される。したがって、例えば血圧を表示するための表示部２０が体重計による計測結果を表示してしまうなどの、本来表示すべきではないデータを誤って表示してしまうことを、容易に防ぐことができる。
【００８８】
〔実施形態４〕
以下、本発明の第４の実施形態について、図１０〜１２を用いて、詳細に説明する。なお、説明の便宜上、前記実施形態にて説明した部材と同じ機能を有する部材については、同じ符号を付記し、その説明を省略する。
【００８９】
図１０は、本発明の実施形態４に係る情報管理システム１の要部構成を示すブロック図である。本実施形態においては、上述の実施形態１の情報管理システム１にネットワーク３および表示部配信装置８を新たに備え、情報管理装置２の表示部２０に代わり、表示部取得部６０および通信部７０を備えている。
【００９０】
表示部配信装置８は、ネットワーク３を通じて情報管理装置２と互いに通信可能である。表示部配信装置８は、情報管理装置２の表示部２０を配信する装置である。上述したように、表示部２０はスマートフォンのアプリケーションなどといったソフトウェアなので、ネットワーク３を通じて情報管理装置２に配信できる。
【００９１】
表示部取得部６０は、情報管理装置２の表示部２０を表示部配信装置８から取得する機能を有している。
【００９２】
通信部７０は、ネットワーク３に接続されており、表示部配信装置８と双方向の通信を行う機能を有している。
【００９３】
（実施形態４における情報管理システム１の処理）
図１１は、本発明の実施形態４に係る情報管理システムの処理の流れを示すフローチャートである。実施形態４における情報管理システム１の処理の流れについて、図１１を用いて説明する。情報管理装置２のデータ通知部１４が、通知データを表示部２０に出力する処理（ステップＳ６）までは前記実施形態と同じため、説明を省略する。
【００９４】
データ通知部１４は、通知データを表示部２０に出力すると、表示部２０が情報管理装置２にあるか否かを判定する（ステップＳ５１）。
【００９５】
ステップＳ５１において、「表示部はある」と判定された場合（ステップＳ５１：Ｙｅｓ）、表示部２０がデータを抽出する処理（ステップＳ７）に進み、以降は前記実施形態と同じため、説明を省略する。
【００９６】
一方、ステップＳ５１において、「表示部はない」と判定された場合（ステップＳ５１：Ｎｏ）、データ通知部１４は、表示部２０がない旨を示すメッセージを表示パネル３０に出力する（ステップＳ５２）。これにより、そのメッセージが表示パネル３０に表示される。こうして図１１の処理は終了する。
【００９７】
このように、情報管理装置２が表示部２０を備えていない場合でも、ユーザにその旨を通知することができる。したがって、測定結果が表示されなくても、ユーザに不安を与えずに済む。
【００９８】
（表示部２０の自動取得）
表示部取得部６０および通信部７０を使って、自動的に表示部２０を取得する処理について、図１２を用いて説明する。
【００９９】
図１２は、本発明の実施形態４に係る情報管理システムの処理の流れの別の一例を示すフローチャートである。情報管理装置２のデータ通知部１４が、通知データを表示部２０に出力する処理（ステップＳ６）までは前記実施形態と同じため、説明を省略する。
【０１００】
データ通知部１４は、通知データを表示部２０に出力すると、表示部２０が情報管理装置２にあるか否かを判定する（ステップＳ６１）。
【０１０１】
ステップＳ６１において、「表示部はある」と判定された場合（ステップＳ６１：Ｙｅｓ）、表示部２０がデータを抽出する処理（ステップＳ７）に進み、以降は前記実施形態と同じため、説明を省略する。
【０１０２】
一方、ステップＳ６１において、「表示部はない」と判定された場合（ステップＳ６１：Ｎｏ）、データ通知部１４は、表示部取得部６０に、表示部２０を取得するように要求する。これを受けて、表示部取得部６０は、表示部２０を取得するための要求信号を通信部７０に出力する。通信部７０は、取得した要求信号を、ネットワーク３を通じて、表示部配信装置８に送信する。
【０１０３】
表示部配信装置８は、ネットワーク３に送信された要求信号を受信し、要求信号に応じた表示部２０を、通信部７０にネットワーク３を通じて送信する。
【０１０４】
通信部７０は、ネットワーク３から表示部２０を受信し、表示部取得部６０に出力する。これにより表示部取得部６０は、表示部２０を取得する（ステップＳ６２）。情報管理装置２は、取得された表示部２０を自身にインストールする。これにより、情報管理装置２は表示部２０を備えることになる。そこで、データ通知部１４が通知データを、インストールされた表示部２０に通知する。そして、表示部２０がデータを抽出する処理（ステップＳ７）に進み、以降は前記実施形態と同じため、説明を省略する。
【０１０５】
このように、情報管理装置２が表示部２０を備えていない場合でも、自動的に表示部２０を取得することができる。その結果、測定結果が表示パネル３０に正常に表示される。したがって、測定結果が表示されずにユーザが困惑するということを防ぐことができる。
【０１０６】
〔実施形態５〕
以下、本発明の第５の実施形態について、図１３および図１４を用いて、詳細に説明する。なお、説明の便宜上、前記実施形態にて説明した部材と同じ機能を有する部材については、同じ符号を付記し、その説明を省略する。
【０１０７】
図１３は、本発明の実施形態５に係る情報管理システム１の要部構成を示すブロック図である。本実施形態においては、上述の実施形態１の情報管理システム１にネットワーク３および情報蓄積装置９を新たに備えて、情報管理装置２は表示部２０および表示パネル３０を備えていない。
【０１０８】
情報蓄積装置９は、ネットワーク３を通じて情報管理装置２と互いに通信可能である。情報蓄積装置９は、情報管理装置２が生成する通知データを受信して、蓄積する。
【０１０９】
（実施形態５における情報管理システム１の処理）
図１４は、本発明の実施形態５に係る情報管理システム１の処理の流れを示すフローチャートである。情報管理装置２のデータ生成部１３が、通知データを生成する処理（ステップＳ５）までは前記実施形態と同じため、説明を省略する。
【０１１０】
データ生成部１３は、生成した通知データをデータ通知部１４に出力する。データ通知部１４は、取得した通知データを、ネットワーク３を通じて情報蓄積装置９に送信する（ステップＳ７１）。情報蓄積装置９は、ネットワーク３から通知データを受信し（ステップＳ７２）、蓄積する。なお、データ通知部１４は、通知データを表示部２０に出力し、表示部２０から応答がない場合にのみ情報蓄積装置９に送信してもよい。
【０１１１】
このように、情報管理装置２と情報蓄積装置９とがネットワーク３を通じて通信可能な場合、情報蓄積装置９に通知データを送信し、測定情報を蓄積することができる。また、情報蓄積装置９は、共通の通知フォーマットから静止される通知データを、機器４に関わらず受信できるので、個々の機器４に対応した機能を予め持っておく必要がない。
【０１１２】
〔ソフトウェアによる実現例〕
情報管理装置２の各ブロックは、集積回路（ＩＣチップ）等に形成された論理回路（ハードウェア）によって実現してもよいし、ＣＰＵ（Central Processing Unit）を用いてソフトウェアによって実現してもよい。
【０１１３】
後者の場合、情報管理装置２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１４】
〔まとめ〕
本発明の態様１に係る情報管理装置は、表示部２０を備える情報管理装置２であって、被測定者を測定した複数の計測機器から送信された、少なくとも２種類の異なる形式の測定情報を受信する受信部（データ受信部１１）と、受信した上記測定情報から、上記複数の計測機器に共通するパラメータを用いて通知データを生成し、上記通知データを上記表示部に通知する処理部（データ生成部１３、データ通知部１４）と、を備えている。
【０１１５】
上記の構成によれば、情報管理装置は、計測機器から受信した、少なくとも２種類の異なる形式の測定情報から、各計測機器に共通するパラメータによって構成された通知データを生成し、表示部に通知して表示する。したがって、共通の通知形式の設計および構成を複雑化せずに済む。
【０１１６】
本発明の態様２に係る情報管理装置では、上記態様１において、上記受信部（データ受信部１１）は、上記計測機器の固有情報を受信し、上記処理部（データ生成部１３）は、上記固有情報を識別する機器固有情報識別子を、上記共通するパラメータとして含む通知データを生成してもよい。
【０１１７】
上記の構成によれば、共通の通知形式を変更することなく、機器固有情報識別子を表示部に通知することができる。また、表示部は、通知データに格納されている機器固有情報識別子を利用することによって、計測機器の固有情報を取得することができる。
【０１１８】
本発明の態様３に係る情報管理装置は、上記態様２において、上記機器固有情報識別子と上記固有情報とを少なくとも記録する固有情報記録部（データ蓄積部４０）を備え、上記表示部２０は、通知された上記通知データに格納された上記機器固有情報識別子に紐付く上記固有情報を、上記固有情報記録部から取得して表示してもよい。
【０１１９】
上記の構成によれば、情報管理装置が取得した固有情報をユーザに知らせることができる。
【０１２０】
本発明の態様４に係る情報管理装置では、上記態様１〜３において、上記受信部（データ受信部１１）は、被測定者の被測定者情報を受信し、上記処理部（データ生成部１３）は、上記被測定者情報を識別する被測定者情報識別子を、上記共通するパラメータとして含む通知データを生成してもよい。
【０１２１】
上記の構成によれば、共通の通知形式を変更することなく、被計測者情報識別子を表示部に通知することができる。また、表示部は、通知データに格納されている被計測者情報識別子を利用することによって、被計測者情報を取得することができる。
【０１２２】
本発明の態様５に係る情報管理装置は、上記態様４において、上記被測定者情報識別子と上記被測定者情報とを記録する被測定者情報記録部（データ蓄積部４０）を備え、上記表示部２０は、通知された上記通知データに格納された上記被測定者情報識別子に紐付く上記被測定者情報を、上記被測定者情報記録部から取得して表示してもよい。
【０１２３】
上記の構成によれば、情報管理装置が取得した被測定者情報がユーザに知らせることができる。
【０１２４】
本発明の態様６に係る情報管理装置では、上記態様１〜５において、上記処理部（データ生成部１３）は、同じ上記計測機器から受信する複数回の上記測定情報から、１回の上記測定情報のパラメータを繰り返す形式の通知データを生成してもよい。
【０１２５】
上記の構成によれば、複数回の測定情報を受信しても、情報管理装置は測定結果を正常に表示できる。
【０１２６】
本発明の態様７に係る情報管理装置では、上記態様１〜６において、上記処理部（データ生成部１３）は、上記測定結果の種類を表す文字列と上記測定結果の値とを含む形式の通知データを生成してもよい。
【０１２７】
上記の構成によれば、情報管理装置は、測定結果の種類と値とをユーザに知らせることができる。
【０１２８】
本発明の態様８に係る情報管理装置では、上記態様１〜７において、上記測定情報は、被測定者の生体情報であってもよい。
【０１２９】
上記の構成によれば、情報管理装置は、被計測者の生体情報を表示できる。
【０１３０】
本発明の態様９に係る情報管理装置は、上記態様１〜８において、複数の表示部２０を備え、上記処理部（データ通知部１４）は、上記複数の表示部２０の全てに上記通知データを通知してもよい。
【０１３１】
上記の構成によれば、表示部が複数ある場合においても、全ての表示部を使って測定結果を表示できる。
【０１３２】
本発明の態様１０に係る情報管理装置は、上記態様１〜８において、複数の表示部２０を備え、上記処理部（データ通知部１４）は、上記複数の表示部２０のうち、特定の表示部２０のみに上記通知データを通知してもよい。
【０１３３】
上記の構成によれば、表示部が複数ある場合においても、表示させたい表示部にのみ測定結果を表示させるので、通知データの流れを制御できる。
【０１３４】
本発明の態様１１に係る情報管理装置は、情報蓄積装置と通信する情報管理装置２であって、被測定者を測定した複数の計測結果から送信された、少なくとも２種類の異なる形式の測定情報を受信する受信部（データ受信部１１）と、受信した上記測定結果から、上記複数の計測機器に共通するパラメータを用いて通知データを生成し、上記通知データを上記情報蓄積装置に通知する処理部（データ生成部１３、データ通知部１４）と、を備えていてもよい。
【０１３５】
上記の構成によれば、共通の通知形式の設計および構成を複雑化せずに済む。
【０１３６】
本発明の各態様に係る情報管理装置は、コンピュータによって実現してもよく、この場合には、コンピュータを上記情報管理装置が備える各手段として動作させることにより上記情報管理装置をコンピュータにて実現させる情報管理装置の制御プログラム、およびそれを記録したコンピュータ読み取り可能な記録媒体も、本発明の範疇に入る。
【０１３７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１３８】
本発明は、生体情報を計測した計測機器から計測情報を受信して、計測情報を表示する携帯電話やスマートフォンといった情報端末に利用することができる。
【符号の説明】
【０１３９】
１  情報管理システム
２  情報管理装置
３  ネットワーク
４  機器
８  表示部配信装置
９  情報蓄積装置
１０  処理部
１１  データ受信部（受信部）
１２  データ解析部
１３  データ生成部（処理部）
１４  データ通知部（処理部）
２０  表示部
２１  表示データ抽出部
２２  蓄積データ取得部
３０  表示パネル
４０  データ蓄積部（固有情報記録部、被測定者情報記録部）
５０  ユーザ入力部
６０  表示部取得部
７０  通信部 
【図１】
2014171469.tif 000003
【図２】
2014171469.tif 000004
【図３】
2014171469.tif 000005
【図４】
2014171469.tif 000006
【図５】
2014171469.tif 000007
【図６】
2014171469.tif 000008
【図７】
2014171469.tif 000009
【図８】
2014171469.tif 000010
【図９】
2014171469.tif 000011
【図１０】
2014171469.tif 000012
【図１１】
2014171469.tif 000013
【図１２】
2014171469.tif 000014
【図１３】
2014171469.tif 000015
【図１４】
2014171469.tif 000016
【図１５】
2014171469.tif 000017
【図１６】
2014171469.tif 000018
【国際調査報告】
2014171469.tif 000019
2014171469.tif 000020
2014171469.tif 000021
2014171469.tif 000022